(57)【特許請求の範囲】
【請求項１】
底部を囲むように配設された側壁を、底部に重なるように折り畳むことが可能な折り畳みコンテナーにおいて、底部の外面と側壁の外面とが、ほぼ面一になるように構成されているとともに、底部の相対する辺部の両端部には、折り畳まれた状態の折り畳みコンテナーの底部嵌合部が嵌合可能な、平面形状がほぼＬ字状の突出部を有する端部係止ブロックが形成されており、更に、側壁には、折り畳みコンテナーが組み立てられた状態において、前記端部係止ブロックが挿入可能な切り欠き部が形成されているとともに、前記切り欠き部を形成する水平枠には、折り畳まれた状態の前記側壁を垂直方向に回動させた際に、前記端部係止ブロックに当接して、前記側壁が垂直状態を超えて、それ以上回動することを阻止する衝合壁が垂設されていることを特徴とする折り畳みコンテナー。
【請求項２】
端部係止ブロック間に位置する底部の辺部には、内側に向いた切り欠き部を有する辺部側係止ブロックが形成されているとともに、側壁の下部水平枠には、前記辺部側係止ブロックが入り込むことが可能な下方が開放された凹部が形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，一例として、長方形の底部の相対する長辺部に、ヒンジ部を介して連結された長側壁と、同じく上記底部の相対する短辺部に、ヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
折り畳みコンテナーが折り畳まれた状態では、一番下に底部が位置し、その上に、重なるように折り畳まれた短側壁が位置し、更にその上に、重なるように折り畳まれた長側壁が位置することになる。このように折り畳んだ状態の折り畳みコンテナーを、積み重ねる場合には、下に位置する折り畳んだ状態の折り畳みコンテナーの長側壁の上に、上に位置する折り畳んだ状態の折り畳みコンテナーの底部が載置されることになる。また、折り畳みコンテナーの長側壁の両方の下部角部（底部側に位置する角部）付近には、ほぼＬ字状の嵌合土手部が形成されており、折り畳まれた状態の２つの長側壁の４つの角部には、平面形状がほぼＬ字状の嵌合土手部が位置することになる。そして、折り畳んだ状態の折り畳みコンテナーを積み重ねる際には、下に位置する折り畳んだ状態の折り畳みコンテナーの２つの長側壁の４つの角部に位置する嵌合土手部に、上に位置する折り畳んだ状態の折り畳みコンテナーの底部が嵌合されるように構成されているので、下に位置する折り畳んだ状態の折り畳みコンテナーに対する、上に位置する折り畳んだ状態の折り畳みコンテナーの水平方向の移動が制限されて、多数、積み重ねられた折り畳まれた状態の折り畳みコンテナーが、ふらついて、崩れることがないように、安定して積み重ねられることになる。
【０００４】
【発明が解決しようとする課題】
【０００５】
上述したように、従来の折り畳みコンテナーにおいては、多数の折り畳まれた状態の折り畳みコンテナーを、安定した状態で積み重ねるために、折り畳みコンテナーの長側壁の両方の下部角部付近に、嵌合土手部が形成されているが、この嵌合土手部は、組み立てられた状態においては、長側壁から突出しており、従って、長側壁同士が、互いに当接するように、２つの組み立てられた折り畳みコンテナーを並設した場合には、並設された折り畳みコンテナー間に無駄な間隙ができることになり、従って、組み立てられた折り畳みコンテナーの保管スペースが増大し、保管効率が低下するという問題があった。また、嵌合土手部を形成したために、長側壁の厚みが増し、従って、組み立てられた折り畳みコンテナーの外寸に対して、内容積が小さく、組み立てられた折り畳みコンテナーの収容効率が悪いという問題があった。
【０００６】
本発明の目的は、上述した従来の折り畳みコンテナーが有する課題を解決することにある。
【０００７】
【課題を解決するための手段】
本発明は、上述した目的を達成するために、底部を囲むように配設された側壁を、底部に重なるように折り畳むことが可能な折り畳みコンテナーにおいて、第１には、底部の外面と側壁の外面とが、ほぼ面一になるように構成されているとともに、底部の相対する辺部の両端部には、折り畳まれた状態の折り畳みコンテナーの底部嵌合部が嵌合可能な、平面形状がほぼＬ字状の突出部を有する端部係止ブロックが形成されており、更に、側壁には、折り畳みコンテナーが組み立てられた状態において、前記端部係止ブロックが挿入可能な切り欠き部が形成されているとともに、前記切り欠き部を形成する水平枠には、折り畳まれた状態の前記側壁を垂直方向に回動させた際に、前記端部係止ブロックに当接して、前記側壁が垂直状態を超えて、それ以上回動することを阻止する衝合壁を垂設したものであり、第２には、端部係止ブロック間に位置する底部の辺部に、内側に向いた切り欠き部を有する辺部側係止ブロックを形成するとともに、側壁の下部水平枠に、前記辺部側係止ブロックが入り込むことが可能な下方が開放された凹部を形成したものである。
【０００８】
【実施例】
以下に、本発明の実施例について説明するが、本発明の趣旨を越えない限り何ら、本実施例に限定されるものでない。
【０００９】
１は、平面形状が長方形状の底部であり、底部１の相対する長辺部１ａには、後述するヒンジ部を介して長側壁２が連結されており、また、底部１の相対する短辺部１ｂには、同じくヒンジ部を介して短側壁３が連結されている。
【００１０】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てる。
【００１１】
次に、主として、図４〜図７を用いて、底部１について説明する。
【００１２】
底部１は、底板１ｃを有しており、底板１ｃの長辺縁には、底部１の長辺部１ａを構成する、ほぼ逆Ｕ字状の二重壁部１ｄが形成されている。二重壁部１ｄは、外壁１ｄ１と、内壁１ｄ２と、外壁１ｄ１の上端と内壁１ｄ２の上端を連結する水平壁１ｄ３とから構成されており、底板１ｃは、外壁１ｄ１の下端１ｄ１’より下方に位置しており、底板１ｃの外壁１ｄ１の下端１ｄ１’より下方に位置している部分が、後述する底部嵌合部１’を構成する。二重壁部１ｄを構成する外壁１ｄ１を上方に延長して、横長の端部壁１ｅが形成されており、また、二重壁部１ｄを構成する内壁１ｄ２の上端からは、ほぼ垂直に上方に延在する板状片１ｆ１と、板状片１ｆ１に連接されているとともに、板状片１ｆ１に対して端部枠１ｅ側に配設されたほぼ半円筒状フック１ｆ２とからなる、ほぼ逆Ｊ字状のヒンジ雌部１ｆが延在している。ヒンジ雌部１ｆは、端部壁１ｅとほぼ同じ高さに形成されており、長辺部１ａに沿って、適当数、形成されている（なお、本実施例においては、ほぼ等間隔に、４個のヒンジ雌部１ｆが形成されている。）。なお、二重壁部１ｄの内部には、外壁１ｄ１、内壁１ｄ２及び水平壁１ｄ３を連結する内部補強リブ１ｇを、適当な間隔で形成することができる。
【００１３】
長辺部１ａの両端部付近に位置するヒンジ雌部１ｆと、該ヒンジ雌部１ｆより中央寄りに位置するヒンジ雌部１ｆとの間に位置する、端部壁１ｅと二重壁部１ｄの水平壁１ｄ３とで形成される隅部には、外面１ｈ１が端部壁１ｅの外面１ｅ１とほぼ面一な長辺部側係止ブロック１ｈが形成されている。長辺部側係止ブロック１ｈは、端部壁１ｅを超えて上方に延在する突出部１ｈ２を有するとともに、端部壁１ｅの上端とほぼ同じ高さの載置面１ｈ３を有する、内側に向いた切り欠き部１ｈ４が形成されている。
【００１４】
長辺部１ａの両端部には、長辺部側係止ブロック１ｈとほぼ同じ高さの端部係止ブロック１ｊが形成されており、端部係止ブロック１ｊには、長辺部側係止ブロック１ｈとほぼ同じ高さを有する載置面１ｊ１と、載置面１ｊ１より上方に突出した、長辺部１ａに沿って延在する突出部１ｊ２と長辺部１ａに対して直角方向に延在する突出部１ｊ３とからなる、平面形状がほぼＬ字状の突出部１ｊ４が形成されている。端部係止ブロック１ｊの外面１ｊ５も、端部壁１ｅの外面１ｅ１とほぼ面一に形成されている。なお、１ｋは、端部壁１ｅと二重壁部１ｄの水平壁１ｄ３とで形成される隅部に、適宜、形成された補強ブロックであり、補強ブロック１ｋの上端は、端部壁１ｅの上端に一致しているが、必要に応じて、補強ブロック１ｋの上端は、端部壁１ｅの上端より下方に位置するように構成することもできる。
【００１５】
底部１の短辺部１ｂは、長辺部１ａより、低く形成されており、短辺部１ｂは、底板１ｃの短辺縁に沿って、ほぼ垂直に上方に延在する垂直壁１ｍを有しており、垂直壁１ｍに近接した底板１ｃには、垂直壁１ｍに沿って、所定の間隔で、上述したと同様のヒンジ雌部１ｆが形成されている（なお、本実施例においては、ほぼ等間隔に、４個のヒンジ雌部１ｆが形成されている。）。
【００１６】
短辺部１ｂと長辺部１ａとにより形成される、短辺部１ｂの両端部に位置する隅部には、透孔１ｎ１が穿設された嵌合部１ｎが形成されており、後述する短側壁３に形成された嵌合突起が嵌合するように構成されている。短辺部１ｂの垂直壁１ｍと底板１ｃとにより形成される隅部には、短辺側係止ブロック１ｐが形成されている。そして、短辺側係止ブロック１ｐの高さは、上述した長辺部側係止ブロック１ｈ及び端部係止ブロック１ｊとほぼ同じ高さに形成されており、長辺部側係止ブロック１ｈと同様に、端部壁１ｅの上端とほぼ同じ高さの載置面１ｐ１を有する、内側に向いた切り欠き部１ｐ２が形成されている。また、短辺側係止ブロック１ｐの外面１ｐ３は、短辺部１ｂの垂直壁１ｍの外面１ｍ１とほぼ面一に形成されており、少なくとも、短辺部１ｂの垂直壁１ｍの外面１ｍ１を超えて、外側に突出することがないように構成されている。
【００１７】
なお、１ｒは、短辺部１ｂの中程に形成された、所定の間隔を置いて配置された一対の水平枠１ｒ１、１ｒ２と背枠１ｒ３とにより、外側が開口された凹部１ｒ４が形成された、ロボット等の自動機の爪や、作業者に指等が挿入可能な、引っ掛け部材である。１ｓは、底部１の長辺部１ａを構成する二重壁部１ｄの外壁１ｄ１に形成された凹部であり、この凹部１ｓに、折り畳みコンテナーに収容された物品の行き先や、物品の種類、個数等の折り畳みコンテナーや収容された物品に関する種々の情報が記載された或いは記憶されたラベルやバーコードや磁気テープ等が貼着されるように構成されている。なお、１ｔは、必要に応じて、底板１ｃの裏面に形成された縦横に走る、高さの低い補強リブである。
【００１８】
次に、図２、図５、図６及び図８〜図１０を用いて、長側壁２について説明する。
【００１９】
長側壁２は、横長の方形状の板状部２ａと、板状部２ａの下端から外方向に向かって延在する下部水平枠２ｂを有しており、下部水平枠２ｂの下面には、底部１に形成されたヒンジ雌部１ｆに対応して、ヒンジ雄部２ｃが形成されている。ヒンジ雄部２ｃは、下部水平枠２ｂの下面に垂下され、板状部２ａに対して直角な一対の垂直片２ｃ１と、一対の垂直片２ｃ１間に配設された水平ピン２ｃ２とから構成されており、垂直片２ｃ１の下部は、半円形部２ｃ１’として形成されている。
【００２０】
２ｄは、下部水平枠２ｂの下面に形成された下部ブロックであり、下部ブロックは、ヒンジ雄部２ｃの垂直片２ｃ１と同様の一対の垂直片２ｄ１と、一対の垂直片２ｄ１間に形成されている連結壁２ｄ２とを有し、連結壁２ｄ２の下端部は半円筒部２ｄ２’に形成されている。なお、下部ブロック２ｄの下端は、ヒンジ雄部２ｃの垂直片２ｃ１の下端と一致しており、下部ブロック２ｄの半円筒部２ｄ２と、垂直片２ｃ１の下部の半円形部２ｃ１’とは、ほぼ同じ半径を有している。
【００２１】
板状部２ａの外面２ａ１には、適宜、垂直リブ２ｅや水平リブ２ｆが、複数、形成されている。折り畳みコンテナーが組み立てられ、長側壁２が、底部１に対して、垂直に立てられた際には、板状部２ａの内面２ａ２は、底部１の長辺部１ａを構成する二重壁部１ｄの内壁１ｄ２と、ほぼ面一になるように構成されている。そして、折り畳みコンテナーが組み立てられた状態においては、垂直リブ２ｅや水平リブ２ｆが、底部１の長辺部１ａを構成する二重壁部１ｄの外壁１ｄ１を超えて、外側に突出しないように構成されている。
【００２２】
長側壁２の両端部には、板状部２ａに直交する方向に延在する係合枠部２ｇが形成されており、係合枠部２ｇの上部には、上部嵌合透孔２ｈが穿設されており、上部嵌合透孔２ｈの下方に穿設された２つの透孔２ｊ１、２ｊ２間には、水平で、横長の係合突起２ｋが、係合枠部２ｇの内面２ｇ１に突設されている。図１０に示されているように、係合突起２ｋの断面形状は、その先端部が、先細り状の膨出部２ｋ１と、膨出部２ｋ１から板状部２ａの外面２ａ１に向かって延在する水平部２ｋ２とにより、ほぼ茸状に形成されている。更に、係合突起２ｋの下方には、嵌合凹部２ｍが形成されており、嵌合凹部２ｍが位置する長側壁２には、嵌合透孔２ｍ１が形成されている。更にまた、嵌合凹部２ｍの下方には、下部嵌合透孔２ｎが穿設されている。係合枠部２ｇに穿設された上部嵌合透孔２ｈ、透孔２ｊ１、２ｊ２及び下部嵌合透孔２ｎは、板状部２ａにほぼ平行に形成されており、また、係合枠部２ｇの下面２ｇ２は、下部水平枠２ｂより上方に位置している。上記の嵌合透孔２ｍ１には、折り畳みコンテナーの折り畳み過程において、折り畳まれた短側壁３の上に重なるように、長側壁２を折り畳んだ際に、図３に示されているように、底部１に形成された短辺側係止ブロック１ｐが挿入されるように構成されている。
【００２３】
長側壁２の下部両端部には、下部水平枠２ｂより一段高い水平枠２ｐとヒンジ雄部２ｃの垂直片２ｃ１とにより形成される切り欠き部２ｒが形成されており、この切り欠き部２ｒには、底部１に長側壁２を取り付け、底部１に対して、長側壁２を垂直に立てた際に、底部１に形成された端部係止ブロック１ｊが、長側壁２に干渉することなく入り込むことができるように構成されている。また、水平枠２ｐの下面には、板状部２ａの延長上に形成されている衝合壁２ｐ１が垂設されており、衝合壁２ｐ１の下端は、下部水平枠２ｂの下面とほぼ同じになるように構成されている。そして、この衝合壁２ｐ１は、底部１に対して、長側壁２を垂直に立てた際に、その下端２ｐ１’が、底部１の端部係止ブロック１ｊの載置面１ｊ１に近接或いは当接するとともに、衝合壁２ｐ１が、端部係止ブロック１ｊの突出部１ｊ２の内面に当接するように構成されている。
【００２４】
折り畳まれた状態の長側壁２を垂直方向に回動させると、衝合壁２ｐ１が、底部１に形成された端部係止ブロック１ｊの突出部１ｊ２の内面に当接するので、長側壁２が垂直状態を超えて、それ以上回動することが阻止され、従って、ヒンジ雌部１ｆとヒンジ雄部２ｃからなるヒンジ部等が損傷するようなことが防止できる。また、底部１に対して、長側壁２を垂直に立てた際に、衝合壁２ｐ１の下端２ｐ１’が、底部１の端部係止ブロック１ｊの載置面１ｊ１に近接或いは当接するように構成されているので、長側壁２に上方から負荷がかかっても、負荷を、衝合壁２ｐ１と端部係止ブロック１ｊとで負担し、負荷がヒンジ部にかからないので、ヒンジ部が損傷するようなことが防止できる。
【００２５】
２ｓは、下部水平枠２ｂを上方に膨出させるようにして形成された、下方が開放された凹部であり、底部１に長側壁２を取り付け、底部１に対して、長側壁２を垂直に立てた際に、底部１に形成された長辺部側係止ブロック１ｈが、入り込むことができるように構成されている。この実施例においては、凹部２ｓは、下部ブロック２ｄの一対の垂直片２ｄ１と天部２ｓ１とで形成されており、凹部２ｓの上部には、板状部２ａの延長上に形成されている衝合壁２ｓ２が形成されており、衝合壁２ｓ２の下端は、下部水平枠２ｂの下面とほぼ同じになるように構成されている。そして、この衝合壁２ｓ２は、底部１に対して、長側壁２を垂直に立てた際に、その下端が、長辺部側係止ブロック１ｈの載置面１ｈ３に近接或いは当接するとともに、衝合壁２ｓ２が、長辺部側係止ブロック１ｈの突出部１ｈ２に当接するように構成されている。
【００２６】
折り畳まれた状態の長側壁２を垂直方向に回動させると、衝合壁２ｓ２が、底部１に形成された長辺部側係止ブロック１ｈの突出部１ｈ２に当接するので、長側壁２が垂直状態を超えて、それ以上回動することが阻止され、従って、ヒンジ雌部１ｆとヒンジ雄部２ｃからなるヒンジ部が損傷するようなことが防止できる。また、底部１に対して、長側壁２を垂直に立てた際に、衝合壁２ｓ２の下端が、底部１の長辺部側係止ブロック１ｈの載置面１ｈ３に近接或いは当接するように構成されているので、長側壁２に上方から負荷がかかっても、負荷を、衝合壁２ｓ２と長辺部側係止ブロック１ｈとで負担し、負荷がヒンジ部にかからないので、ヒンジ部が損傷するようなことが防止できる。
【００２７】
上述した底部１の端部壁１ｅと、底部１に形成されたヒンジ雌部１ｆのフック部１ｆ２との間には、長側壁２に形成されたヒンジ雄部２ｃの水平ピン２ｃ２の直径より、狭い間隔の間隙が形成されている。
【００２８】
次に、図１及び図１０〜図１２を用いて、短側壁３について説明する。
【００２９】
短側壁３も、上述した長側壁２と同様に、横長の方形状の板状部３ａと、板状部３ａの下端から外方向に向かって延在する下部水平枠３ｂを有しており、下部水平枠３ｂの下面には、底部１に形成されたヒンジ雌部１ｆに対応して、ヒンジ雄部３ｃが形成されている。ヒンジ雄部３ｃは、上述した長側壁２に形成されたヒンジ雄部２ｃと同様に、下部水平枠３ｂの下面に垂下され、板状部３ａに対して直角な一対の垂直片３ｃ１と、一対の垂直片３ｃ１間に配設された水平ピン３ｃ２とから構成されており、垂直片３ｃ１の下部は、半円形部３ｃ１’として形成されている。
【００３０】
また、長側壁２に形成された下部ブロック２ｄと同様の下部ブロック３ｄが、形成されている。この実施例では、下部ブロック３ｄは、ヒンジ雄部３ｃの一方の垂直片３ｃ１と、該垂直片３ｃ１と同様の垂直片３ｄ１と、垂直片３ｃ１、３ｄ１間に形成されている連結壁３ｄ２とから形成されており、或いは、ヒンジ雄部３ｃの一対の垂直片３ｃ１間に形成されている連結壁３ｄ２とから形成されている。連結壁３ｄ２の下端部は半円筒部３ｄ２’に形成されている。なお、下部ブロック３ｄの下端は、ヒンジ雄部３ｃの垂直片３ｃ１の下端と一致しており、連結壁３ｄ２の下端部は半円筒部３ｄ２’と、垂直片３ｃ１の下部の半円形部３ｃ１’とは、ほぼ同じ半径を有している。
【００３１】
板状部３ａの上端には、上部水平枠３ｅが形成されており、また、下部水平枠３ｂと上部水平枠３ｅの両端を連結する、相対する垂直枠３ｆが形成されている。折り畳みコンテナーが組み立てられて、短側壁３が底部１に対して垂直に立てられた際には、板状部３ａの内面３ａ１と、底部１に形成されたヒンジ雌部１ｆの板状片１ｆ１の内面とは、ほぼ面一になるように構成されている。そして、折り畳みコンテナーが組み立てられた状態においては、下部水平枠３ｂ、上部水平枠３ｅ及び垂直枠３ｆ等は、底部１の短辺部１ｂを超えて、外側に突出しないように構成されている。
【００３２】
短側壁３には、下部水平枠３ｂが上方に折り曲げられたようにして形成された、下部が開放された、縦長の凹部３ｇが形成されており、この凹部３ｇには、折り畳みコンテナーが組み立てられて、短側壁３が底部１に対して垂直に立てられた際に、底部１に形成された短辺側係止ブロック１ｐが、短側壁３に干渉することなく入り込むことができるように構成されている。
【００３３】
短側壁３の垂直枠３ｆの外側には、係合枠部３ｈが形成されており、板状部３ａの延長として形成されている、係合枠部３ｈの板状部３ｈ１の上部には外側に向かって、長側壁２の両端部に形成され係合枠部２ｇに穿設された上部嵌合透孔２ｈに嵌合可能な、先端が先細り状に形成された、ほぼ角柱状の上部嵌合突起３ｊが突設されており、また、上部嵌合突起３ｊの下方には、先端に係止突起３ｋ１が向き合うように形成された、一対の係止片３ｋが、ほぼ水平方向に延在されており、この一対の係止片３ｋ間には、長側壁２に形成された係合突起２ｋの膨出部２ｋ１が挿入され、係止片３ｋの先端部が、係合突起２ｋの上下に穿設された透孔２ｊ１、２ｊ２に挿入されるとともに、短側壁３の係合枠部３ｈに形成された係止片３ｋの係止突起３ｋ１が、長側壁２の係合枠部２ｇに形成された係合突起２ｋの膨出部２ｋ１の背面２ｋ１’に係止されるように構成されている。
【００３４】
更に、係止片３ｋの下方には、垂直枠３ｆに対して垂直に、外方向に延在する中間嵌合凸部３ｍが形成されており、中間嵌合凸部３ｍは、長側壁２の係合枠部２ｇに形成された嵌合凹部２ｍに嵌合されるように構成されている。更にまた、中間嵌合凸部３ｍの下方には、平べったい下部係合突起３ｎが形成されており、下部係合突起３ｎは、長側壁２の係合枠部２ｇに形成された下部嵌合透孔２ｎに嵌合されるように構成されている。下部係合突起３ｎの下方には、箱状の下部嵌合凸部３ｐが形成されており、下部嵌合凸部３ｐは、折り畳みコンテナーが組み立てられた際に、長側壁２側の係合枠部２ｇの下面２ｇ２と、底部１の短辺部１ｂの両端部に形成された嵌合部１ｎの上面との間に形成される間隙Ｄに挿入されるように形成されている。更に、係合枠部３ｈの下端には、下端係合突起３ｒが形成されており、下端係合突起３ｒは、底部１の短辺部１ｂの両端部に形成された嵌合部１ｎの透孔１ｎ１に嵌合されるように構成されている。なお、３ｓは、短側壁３の上方に形成された、作業者の指が挿入可能な持ち手開口部である。
【００３５】
上述した底部１の垂直壁１ｍと、底部１に形成されたヒンジ雌部１ｆのフック部１ｆ２との間には、短側壁３に形成されたヒンジ雄部３ｃの水平ピン３ｃ２の直径より、狭い間隔の間隙が形成されている。
【００３６】
次に、上述した構成を有する底部１、長側壁２及び短側壁３の組み立てについて説明する。
【００３７】
長側壁２を下降させて、長側壁２に形成されたヒンジ雄部２ｃの水平ピン２ｃ２を、底部１の端部壁１ｅと、底部１に形成されたヒンジ雌部１ｆのフック部１ｆ２との間に形成された間隙に、無理やり挿入すると、底部１のヒンジ雌部１ｆの板状片１ｆ１は、内側に傾動し、従って、底部１の端部壁１ｅとヒンジ雌部１ｆのフック部１ｆ２との間には、長側壁２のヒンジ雄部２ｃの水平ピン２ｃ２が通過する間隙ができ、水平ピン２ｃ２は、底部１のヒンジ雌部１ｆのフック部１ｆ２の下方まで押し下げられる。すると、底部１のヒンジ雌部１ｆの板状片１ｆ１は、板状片１ｆ１自体の弾性力により、元に位置に復帰するとともに、長側壁２のヒンジ雄部２ｃの水平ピン２ｃ２が、底部１のヒンジ雌部１ｆのフック部１ｆ２の凹部１ｆ２’に嵌合されて、底部１に形成されたヒンジ雌部１ｆと、長側壁２に形成されたヒンジ雄部２ｃとにより、底部１と長側壁２とがヒンジ結合されることになる。同様に、底部１の短辺部１ｂ側に形成されたヒンジ雌部１ｆと、短側壁３に形成されたヒンジ雄部３ｃとによるヒンジ結合により、底部１と短側壁３も、同様に、連結されるように構成されている。
【００３８】
図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てるが、長側壁２と短側壁３とは、長側壁２に形成された係合枠部２ｇと、短側壁３に形成された係合枠部３ｈを、係合することにより、組み立てられた折り畳みコンテナーの短側壁３が、簡単に、内側に倒れないように構成されている。
【００３９】
上述したように、垂直に立てられた長側壁２に対して、短側壁３を垂直方向に回動させると、先ず最初に、短側壁３の係合枠部３ｈに形成された下端係合突起３ｒが、底部１の短辺部１ｂの両端部に形成された嵌合部１ｎの透孔１ｎ１に嵌合される。次いで、短側壁３の係合枠部３ｈの下部嵌合凸部３ｐが、長側壁２側の係合枠部２ｇの下面２ｇ２と、底部１の短辺部１ｂの両端部に形成された嵌合部１ｎの上面との間に形成される間隙Ｄに挿入され、また、短側壁３の係合枠部３ｈの下部係合突起３ｎが、長側壁２の係合枠部２ｇの下部嵌合透孔２ｎに嵌合され、更に、短側壁３の係合枠部３ｈの中間嵌合凸部３ｍが、長側壁２の係合枠部２ｇの嵌合凹部２ｍに嵌合される。更には、短側壁３の係合枠部３ｈの一対の係止片３ｋの係止突起３ｋ１が、長側壁２の係合枠部２ｇに形成された係合突起２ｋの膨出部２ｋ１の背面２ｋ１’に係止されるように構成されている。そして、最後に、短側壁３の係合枠部３ｈの上部嵌合突起３ｊが、長側壁２の係合枠部２ｇの上部嵌合透孔２ｈに嵌合され、長側壁２に形成された係合枠部２ｇと、短側壁３に形成された係合枠部３ｈとが、互いに、確実に、係合されることになる。
【００４０】
上述したように、垂直に立てられた長側壁２に対して、短側壁３を垂直方向に回動させた際には、先ず最初に、短側壁３の係合枠部３ｈに形成された下端係合突起３ｒが、底部１の短辺部１ｂの両端部に形成された嵌合部１ｎの透孔１ｎ１に嵌合される。次いで、短側壁３側の係合枠部３ｈの平べったい下部係合突起３ｎが、長側壁２の係合枠部２ｇの下部嵌合透孔２ｎに嵌合されることにより、長側壁２に対する短側壁３の横方向（長側壁２の板状部２ａに対して、短側壁３が垂直方向に移動する方向）の動きが規制され、従って、長側壁２の板状部２ａに対する短側壁３の係合枠部３ｈの位置が移動するようなことが防止でき、短側壁３の係合枠部３ｈと長側壁２の係合枠部２ｇとの係合を、スムースに、且つ、確実に行うことができる。
【００４１】
更に、短側壁３の係合枠部３ｈには、先端が先細り状に形成された、ほぼ角柱状の上部嵌合突起３ｊが形成されており、この上部嵌合突起３ｊが、短側壁３の係合枠部３ｈと長側壁２の係合枠部２ｇとの係合作業の最終段階で、上部嵌合突起３ｊの外周面が、長側壁２側の係合枠部２ｇに穿設された上部嵌合透孔２ｈの内周面に接近するように嵌合されるように構成されているので、長側壁２に対する短側壁３の上下方向の移動や、長側壁２に対する短側壁３の接離方向への移動が規制されるので、組み立てられた状態の折り畳みコンテナーにおいて、長側壁２と短側壁３とが、ガタつくようなことが防止でき、従って、組み立てられた状態の折り畳みコンテナーを、積み重ねた際に、積み重ねられた折り畳みコンテナーがぐらつくようなことが防止でき、安定した状態で、段積みすることができる。
【００４２】
上述したように、短側壁３の係合枠部３ｈの下端係合突起３ｒが、底部１の短辺部１ｂの両端部に形成された嵌合部１ｎの透孔１ｎ１に嵌合されるように構成されているので、底部１と短側壁３との結合強度が向上するとともに、底部１に対する短側壁３の動きが規制されることになり、従って、底部１に対して短側壁３が大きく移動することにより、底部１と短側壁３を連結するヒンジ結合を構成する底部１に形成されたヒンジ雌部１ｆや、短側壁３に形成されたヒンジ雄部３ｃが損傷するようなことが防止できる。また、短側壁３の係合枠部３ｈの下端係合突起３ｒと、底部１の短辺部１ｂの両端部に形成された嵌合部１ｎの透孔１ｎ１とが、一種の位置決めとして機能するので、底部１と短側壁３の結合を、スムースに、且つ、確実に行うことができる。
【００４３】
また、短側壁３の係合枠部３ｈに形成された下端係合突起３ｒが、底部１の短辺部１ｂの両端部に形成された嵌合部１ｎの透孔１ｎ１に嵌合されるので、底部１と短側壁３との結合強度が向上するとともに、短側壁３の係合枠部３ｈに形成された下部係合突起３ｎの、長側壁２の係合枠部２ｇに穿設された下部嵌合透孔２ｎへの嵌合、短側壁３の係合枠部３ｈに形成された中間嵌合凸部３ｍの、長側壁２の係合枠部２ｇに形成された嵌合凹部２ｍへの嵌合、短側壁３の係合枠部３ｈに形成された一対の係止片３ｋの係止突起３ｋ１の、長側壁２の係合枠部２ｇに形成された係合突起２ｋの膨出部２ｋ１への係止、及び、短側壁３の係合枠部３ｈに形成された上部嵌合突起３ｊの、長側壁２の係合枠部２ｇに穿設された上部嵌合透孔２ｈへの嵌合という、複数の嵌合手段及び係止手段により、長側壁２と短側壁３が強固に結合しているので、長側壁２と短側壁３との結合が外れにくく、ひいては、組み立てられた状態の折り畳みコンテナーの強度が向上することになり、更には、組み立てられた状態の折り畳みコンテナーを、多数、積み重ねても、長側壁２と短側壁３が動くようなことがなく、安定した状態で、積み重ね、即ち、段積みすることができる。
【００４４】
更には、短側壁３の係合枠部３ｈに形成された下部嵌合凸部３ｐが、折り畳みコンテナーが組み立てられた際に、長側壁２の係合枠部２ｇの下面２ｇ２と、底部１の短辺部１ｂの両端部に形成された嵌合部１ｎの上面との間に形成される間隙Ｄに、サンドイッチ状に挿入されるように構成されているので、組み立てられた状態の折り畳みコンテナーの短側壁３に、上方から負荷がかかっても、底部１の短辺部１ｂの両端部に形成された嵌合部１ｎの上面に載置される短側壁３の下部嵌合凸部３ｐにより、負荷が負担されるので、底部１と短側壁３を連結するヒンジ結合に負荷がかかるようなことがないので、底部１に形成されたヒンジ雌部１ｆや短側壁３に形成されたヒンジ雄部３ｃが損傷するようなことが防止できる。
【００４５】
更にまた、短側壁３の係合枠部３ｈには、先端に係止突起３ｋ１が向き合うように形成された、一対の係止片３ｋが、ほぼ水平方向に延在されているとともに、この一対の係止片３ｋにより、長側壁２側の係合枠部２ｇに形成された係合突起２ｋの膨出部２ｋ１の背面２ｋ１’を係止するように構成したので、長側壁２或いは短側壁３が、上下方向に、ガタついても、何方か一方の係止片３ｋが、係合突起２ｋに係止されているので、係止片３ｋと係合突起２ｋとの係止状態が外れるようなことがないし、また、長側壁２或いは短側壁３が、水平方向に動いたとしても、係止片３ｋが、水平方向に延在した横長に形成されているので、係合突起２ｋから外れるようなことがなく、従って、長側壁２の係合枠部２ｇと短側壁３の係合枠部３ｈとの係合が強固なものとなる。更に、短側壁３の係合枠部３ｈに形成された中間嵌合凸部３ｍが、長側壁２の係合枠部２ｇに形成された嵌合凹部２ｍに嵌合されるように構成されているので、長側壁２と短側壁３との間のガタツキや、長側壁２と短側壁３との相対的な移動が規制されるので、より確実に、係止片３ｋと係合突起２ｋとの係止状態の外れを防止することができる。
【００４６】
上述したようにして、折り畳みコンテナーが組み立てられた状態においては、底部１に形成された長辺部側係止ブロック１ｈは、長側壁２の下部水平枠２ｂに形成された、下方が開放された凹部２ｓに入り込み、また、底部１に形成された短辺側係止ブロック１ｐが、短側壁３に形成された縦長の凹部３ｇに入り込むことができるように構成されている。このように、折り畳みコンテナーが組み立てられた状態において、底部１に形成された長辺部側係止ブロック１ｈや短辺側係止ブロック１ｐが、長側壁２及び短側壁３に当接しないように構成されている。また、折り畳みコンテナーが組み立てられた状態においては、底部１に形成された端部係止ブロック１ｊは、長側壁２の下部両端部に、下部水平枠２ｂより一段高い水平枠２ｐとヒンジ雄部２ｃの垂直片２ｃ１とにより形成される切り欠き部２ｒに、長側壁２に干渉することなく入り込むことができるように構成されている。
【００４７】
上述したように、底部１に形成された長辺部側係止ブロック１ｈの外面１ｈ１、短辺側係止ブロック１ｐの外面１ｐ３及び端部係止ブロック１ｊの外面１ｊ５は、いずれも、底部１の長辺部１ａ及び短辺部１ｂを超えて外側に突出しないように構成されているとともに、長側壁２及び短側壁３が、底部１の長辺部１ａ及び短側部１ｂを超えて、外側に突出しないように構成されており、しかも、底部１、長側壁２及び短側壁３の外面が、ほぼ面一になるように構成されているので、組み立てられた２つの折り畳みコンテナーを、長側壁２や短側壁３が、当接するように並設しても、隣り合う折り畳みコンテナー間に、実質的に間隙ができるようなことがないので、従って、組み立てられた折り畳みコンテナーの保管効率が向上する。また、従来の折り畳みコンテナーのように、嵌合土手部が形成されていないので、組み立てられた折り畳みコンテナーの外寸に対して、内容積が大きく、従って、組み立てられた折り畳みコンテナーの収容効率が向上する。
【００４８】
図１に示されている組み立てられた状態の折り畳みコンテナーを、図３に示されているように、折り畳む場合には、先ず最初に、短側壁３を、底部１方向に回動させることにより、長側壁２の係合枠部２ｇと短側壁３の係合枠部３ｈとの係合を外し、短側壁３を、底部１の上に重ねる。次いで、長側壁２を倒して、折り畳まれた短側壁３の上に重ねるが、この際、底部１に形成された短辺側係止ブロック１ｐは、長側壁２の係合枠部２ｇに形成された嵌合凹部２ｍに入り込み、その後、長側壁２に穿設された嵌合透孔２ｍ１に挿入されるように構成されているので、底部１に形成された短辺側係止ブロック１ｐが、長側壁２の折り畳みの障害になるようなことはない。
【００４９】
また、短辺側係止ブロック１ｐは、長側壁２に穿設された嵌合透孔２ｍ１に挿入されるように構成されているので、短辺側係止ブロック１ｐに外方向或いは内方向から力が加わっても、嵌合透孔２ｍ１が、短辺側係止ブロック１ｐのズレ止めの役割をするため、短辺側係止ブロック１ｐがズレたり、損傷するようなことがなく、従って、安定した状態で、折り畳まれた折り畳みコンテナーを段積みすることができる。このようにして、折り畳みコンテナーが折り畳まれることになる。なお、嵌合凹部２ｍに先端部に、末広がり状の傾斜面２ｍ２を形成することにより、短辺側係止ブロック１ｐが嵌合透孔２ｍ１に挿入される際に、嵌合凹部２ｍの上下に位置する係合枠部２ｇに当たらないように構成することが好ましい。また、この傾斜面２ｍ２は、短辺側係止ブロック１ｐを嵌合透孔２ｍ１に挿入する際の案内面としても機能する。
【００５０】
図３に示されている折り畳まれた状態の折り畳みコンテナー同士を、積み重ねると、下に位置する折り畳みコンテナーの底部１に形成された長辺部側係止ブロック１ｈの切り欠き１ｈ４、短辺側係止ブロック１ｐの切り欠き１ｐ２及び端部係止ブロック１ｊの突出部１ｊ４には、上に位置する折り畳みコンテナーの底部１の内壁１ｄ２等により形成される底部嵌合部１’が嵌まり込み、底部嵌合部１’が、長辺部側係止ブロック１ｈの載置面１ｈ３、短辺側係止ブロック１ｐの載置面１ｐ１及び端部係止ブロック１ｊの載置面１ｊ１に載置されるように構成されているので、上に位置する折り畳みコンテナーは、下に位置する折り畳みコンテナーの長辺部側係止ブロック１ｈ、短辺側係止ブロック１ｐ及び端部係止ブロック１ｊにより、水平方向に移動が阻止され、安定した状態で、多数の折り畳まれた状態の折り畳みコンテナーを、積み重ねることができるように構成されている。
【００５１】
上述した実施例において底部１に形成された長辺部側係止ブロック１ｈ、短辺側係止ブロック１ｐ及び端部係止ブロック１ｊの配置や個数等は、上述した実施例に限定されるものではない。また、底部１に長辺部側係止ブロック１ｈ及び短辺側係止ブロック１ｐが形成されている場合には、折り畳まれた状態の折り畳みコンテナー同士を段積みした際に、上に位置する折り畳みコンテナーの底部１の底部嵌合部１’が、下に位置する折り畳みコンテナーの底部１に形成された長辺部側係止ブロック１ｈの切り欠き１ｈ４及び短辺側係止ブロック１ｐの切り欠き１ｐ２に嵌まり込み、その水平移動が阻止されるので、端部係止ブロック１ｊを省略することができる。更に、端部係止ブロック１ｊには、長辺部１ａに沿って延在する突出部１ｊ２と長辺部１ａに対して直角方向に延在する突出部１ｊ３とからなる、平面形状がほぼＬ字状の突出部１ｊ４が形成されているので、長辺部側係止ブロック１ｈ及び短辺側係止ブロック１ｐを形成することなく、端部係止ブロック１ｊのみにより、折り畳まれた状態の折り畳みコンテナー同士を、安定して、段積みすることもできる。
【００５２】
【発明の効果】
本発明は、以上説明した構成を有しているので、以下に記載する効果を奏するものである。
【００５３】
底部及び側壁の外面が、ほぼ面一になるように構成されているので、組み立てられた２つの折り畳みコンテナーを、側壁が、当接するように並設しても、隣り合う折り畳みコンテナー間に、実質的に間隙ができるようなことがないので、従って、組み立てられた折り畳みコンテナーの保管効率が向上する。また、従来の折り畳みコンテナーのように、嵌合土手部が形成されていないので、組み立てられた折り畳みコンテナーの外寸に対して、内容積が大きく、従って、組み立てられた折り畳みコンテナーの収容効率が向上する。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの底部と長側壁のヒンジ結合を説明するための底部と長側壁の分解部分斜視図である。
【図６】図６は本発明の折り畳みコンテナーの底部と長側壁の端部付近の分解部分斜視図である。
【図７】図７は本発明の折り畳みコンテナーの折り畳まれた状態の裏面斜視図である。
【図８】図８は本発明の折り畳みコンテナーの長側壁の斜視図である。
【図９】図９は本発明の折り畳みコンテナーの長側壁の部分斜視図である。
【図１０】図１０は本発明の折り畳みコンテナーの長側壁の係合枠部と短側壁の係合枠部とが係合される前の長側壁と短側壁の垂直断面図である。
【図１１】図１１は本発明の折り畳みコンテナーの短側壁の斜視図である。
【図１２】図１２は本発明の折り畳みコンテナーの短側壁の部分斜視図である。
【図１３】図１３は本発明の折り畳みコンテナーの長側壁の係合枠部と短側壁の係合枠部とが係合された状態の長側壁と短側壁の垂直断面図である。
【符号の説明】
１・・・・・・・・底部
１ｆ・・・・・・・ヒンジ雌部
１ｈ・・・・・・・長辺部側係止ブロック
１ｊ・・・・・・・端部係止ブロック
１ｐ・・・・・・・短辺側係止ブロック
２・・・・・・・・長側壁
３・・・・・・・・短側壁
２ｃ、３ｃ・・・・ヒンジ雄部
２ｓ、３ｇ・・・・凹部
【図１】
0003697372.tif 000002
【図２】
0003697372.tif 000003
【図３】
0003697372.tif 000004
【図４】
0003697372.tif 000005
【図５】
0003697372.tif 000006
【図６】
0003697372.tif 000007
【図７】
0003697372.tif 000008
【図８】
0003697372.tif 000009
【図９】
0003697372.tif 000010
【図１０】
0003697372.tif 000011
【図１１】
0003697372.tif 000012
【図１２】
0003697372.tif 000013
【図１３】
0003697372.tif 000014